(57)【特許請求の範囲】
【請求項１】
透液性表面シートと不透液性裏面シートとの間に吸収体が介在されるとともに、表面両側部にそれぞれ長手方向に沿ってサイド不織布が配設された吸収性物品において、
前記サイド不織布の少なくとも排血口部に対応する側部領域にはそれぞれ、実質的に、長周期の略単振動波形に短周期の略単振動波形を重ね合わせた複合波状線のエンボスが、前記吸収性物品のほぼ長手方向に沿って付与されるとともに、前記長周期の略単振動波形成分が内側に凸となるように配置され、かつその内側に凸の頂部において前記短周期の略単振動波形成分が外側に凸となるように配置されていることを特徴とする吸収性物品。
【請求項２】
前記短周期の略振動波形成分が外側に凸となる部分のうち、前記長周期の略振動波形成分の内側に凸の頂部に配置される部分以外の部分において、前記エンボスの内側であって、該エンボスから離間した近接位置に、独立した点状エンボス又は花形等の象形エンボスが付与されている請求項１記載の吸収性物品。
【請求項３】
前記エンボスは、連続した線状エンボスである請求項１、２いずれかに記載の吸収性物品。
【請求項４】
前記エンボスは、点状エンボス、点線状エンボス又は花形等の象形エンボス又はこれらの組み合わせからなる離散エンボスを連ねることにより全体として擬似線状を成すエンボスである請求項１、２いずれかに記載の吸収性物品。
【発明の詳細な説明】
【技術分野】
【０００１】
本発明は、経血やおりものなどを吸収するための生理用ナプキン、パンティライナー、失禁パッド等の女性用吸収性物品、詳しくは横漏れを防止するとともに、身体に沿いやすく、肌への接触を柔らかくし、外観上も横漏れ防止の効果が視認できるようにした吸収性物品に関する。
【背景技術】
【０００２】
従来より、生理用ナプキン、パンティライナー、おりものシート、失禁パッドなどの吸収性物品Ｎとしては、例えば図８に示されるように、ポリエチレンシートまたはポリエチレンラミネート不織布などからなる裏面シート５０と、不織布または透孔性プラスチックシートなどからなる透液性表面シート５１との間に綿状パルプなどからなる吸収体５２を介在させ、表面両側部にそれぞれ長手方向に沿ってサイド不織布５３、５３が配設され、前記吸収体５２の外縁に該吸収体５２が介在しないフラップ部を形成したものが知られている。
【０００３】
前記吸収性物品Ｎを下着Ｓに固定する際には、図９に示されるように、吸収性物品Ｎを局所にあてがい、側方に突出する前記ウイング状フラップＷ、Ｗを下着Ｓより取り出し、両ウイング状フラップＷ、Ｗを折返し線ＲＬ、ＲＬで折返し、下着Ｓのクロッチ部分を巻き込むようにしながら下着Ｓの股間部外面に接着するようにする。
【０００４】
この種の吸収性物品Ｎには、排血口から排出された経血等の横漏れ及び前後漏れを防止するために、表面シート５１の表面側から種々の形でエンボス線５４、５５を設けたものが知られている（例えば下記特許文献１参照）。
【特許文献１】特許第３８０１１２７号公報
【発明の開示】
【発明が解決しようとする課題】
【０００５】
しかしながら、かかる吸収性物品Ｎでは、大量の経血等が排出された場合に、経血等がエンボス線５４、５５を乗り越えて、表面を伝ってこれらエンボス線５４、５５の外側にまで流出する場合がある。ここで、前後方向に流出した経血等は、この方向には吸収体５２が比較的長く介在しているため該吸収体５２に吸収されることにより前後漏れは生じにくいが、横方向に流出した経血等は、吸収性物品の構造上吸収体５２が介在する幅が小さいためサイド不織布５３の表面を伝ってさらに外部に漏れ出る場合があり、この横漏れが問題となっていた。
【０００６】
また、従来の吸収性物品Ｎでは、吸収体上に前記エンボス線５４、５５が形成されるため、体液の横漏れに対して、外観的にその効果が視認され、着用者にある程度の安心感を与えることができるものの、これを乗り越えて横方向に流出することも容易に想定し得るため、この場合の横漏れ防止の効果が外観上明確に視認できず、十分な安心感を与えるものではなかった。
【０００７】
さらに、吸収体は薄いものであっても、他のナプキン構成部材よりも比較的剛性が高いため、身体の曲線に沿って滑らかに屈曲し難く、屈曲点を持つ多角形状成りに屈曲するため、身体に対する違和感の原因となっていた。
【０００８】
さらに、サイド不織布が配設される両側端のフラップ部は、吸収体が介在せずに比較的高剛性の裏面シートがサイド不織布を介して身体に近接する部分であるため、肌への接触面積をできる限り少なくすることにより、肌あたりを柔らかいものにする必要がある。
【０００９】
そこで、本発明の主たる課題は、表面を伝う横漏れを確実に防止するとともに、横漏れ防止の効果を外観的に視認できるようにし、かつ身体にフィットし易くして違和感を軽減した吸収性物品を提供することにある。
【課題を解決するための手段】
【００１０】
前記課題を解決するために請求項１に係る本発明として、透液性表面シートと不透液性裏面シートとの間に吸収体が介在されるとともに、表面両側部にそれぞれ長手方向に沿ってサイド不織布が配設された吸収性物品において、
前記サイド不織布の少なくとも排血口部に対応する側部領域にはそれぞれ、実質的に、長周期の略単振動波形に短周期の略単振動波形を重ね合わせた複合波状線のエンボスが、前記吸収性物品のほぼ長手方向に沿って付与されるとともに、前記長周期の略単振動波形成分が内側に凸となるように配置され、かつその内側に凸の頂部において前記短周期の略単振動波形成分が外側に凸となるように配置されていることを特徴とする吸収性物品が提供される。
【００１１】
上記請求項１記載の発明では、サイド不織布の少なくとも排血口部に対応する側部領域にはそれぞれ、実質的に、長周期の略単振動波形に短周期の略単振動波形を重ね合わせた複合波状線のエンボスが、前記吸収性物品のほぼ長手方向に沿って付与されるとともに、前記長周期の略単振動波形成分が内側に凸となるように配置され、かつその内側に凸の頂部において前記短周期の略単振動波形成分が外側に凸となるように配置されているため、下記(1)〜(5)に示す種々の効果を奏することができる。
(1)経血等がサイド不織布まで表面を伝って流出したとしても、エンボスの前記排血口部に対応する比較的長周期の略単振動波形成分のエンボス部分によって、吸収体の比較的内方側位置で経血等が滞留することになり、ここで吸収体に吸収されるため、横漏れが確実に防止できるようになる。
(2)特に、長周期の略単振動波形成分が内側に凸の頂部において、短周期の略単振動波形成分が外側に凸となるように配置されているため、排血口部からエンボスまで表面を伝って流出した体液等を前後方向に拡散しづらくすることができる。
(3)また、前記エンボスにまで達した体液等は、その後吸収性物品の長手方向に沿った流れとなったとしても、前記エンボスは、長周期の略単振動波形に短周期の略単振動波形を重ね合わせた複合波状線となっているため、単純な波状曲線で形成されたエンボスに比べ、エンボスに沿った前後方向への流れが生じ難く、経血等を排血口部近傍で滞留させ易くなり、横漏れ防止の効果が一層高められている。
(4)前記エンボスは、長周期の略単振動波形に短周期の略単振動波形を重ね合わせた複合波状線として形成されているため、エンボスを直線で付与したり、単純な波状曲線で付与した場合よりも、単位長当たりの凹部面積が増えるため、肌との接触面積が減り、ムレやスレを低減できるようになる。
(5)本吸収性物品を身体に沿って湾曲させたとき、前記エンボスの波状外形線を構成する短周期の略単振動波形成分の内側に凸部分で幅方向に屈曲線が形成され易くなる。このサイド不織布の屈曲線は、吸収体を角折れ点間距離が小さいほぼ円弧線に近い多角形状で屈曲させる屈曲線となり、これにより吸収性物品が身体にフィットしやすく、装着時の違和感を軽減できるようになる。
【００１２】
請求項２に係る本発明として、前記短周期の略振動波形成分が外側に凸となる部分のうち、前記長周期の略振動波形成分の内側に凸の頂部に配置される部分以外の部分において、前記エンボスの内側であって、該エンボスから離間した近接位置に、独立した点状エンボス又は花形等の象形エンボスが付与されている請求項１記載の吸収性物品が提供される。
【００１３】
上記請求項２記載の発明では、前記短周期の略振動波形成分が外側に凸となる部分のうち、前記長周期の略振動波形成分の内側に凸の頂部に配置される部分以外の部分において、前記エンボスの内側であって、該エンボスから離間した近接位置に、独立した点状エンボス又は花形等の象形エンボスを付与している。前記独立した点状エンボス又は花形等の象形エンボスによって、経血等の横方向への流れを滞留させることができ、吸収体への吸収が効果的に行われるようになるとともに、エンボス線に沿った前後方向への流れを阻止することができる。更には、前記点状エンボス又は象形エンボスは、波状エンボスを強調する役割もあり、横漏れ防止の効果をより一層視認し易くしている。
【００１４】
請求項３に係る本発明として、前記エンボスは、連続した線状エンボスである請求項１、２いずれかに記載の吸収性物品が提供される。
【００１５】
請求項４に係る本発明として、前記エンボスは、点状エンボス、点線状エンボス又は花形等の象形エンボス又はこれらの組み合わせからなる離散エンボスを連ねることにより全体として擬似線状を成すエンボスである請求項１、２いずれかに記載の吸収性物品が提供される。
【００１６】
上記請求項３、４記載の発明は、請求項１記載のエンボスの具体的な形態を規定したものである。請求項３記載の発明のように、連続した線状エンボスとするのが、横漏れ阻止の点からは望ましいが、請求項４記載の発明のように、点状エンボス、点線状エンボス又は花形等の象形エンボス又はこれらの組み合わせからなる離散エンボスを連ねることにより全体として擬似線状に見せたエンボスであっても同様の効果を奏することができる。また、この場合は、外観的にはエンボスによって、意匠性や女性らしい優しさを強調できるようになる。
【発明の効果】
【００１７】
以上詳説のとおり本発明によれば、表面を伝う横漏れが確実に防止できるとともに、横漏れ防止の効果が外観的に視認でき、更に身体にフィットして違和感が軽減され、肌のあたりを柔らかいものにすることができる。
【発明を実施するための最良の形態】
【００１８】
以下、本発明の実施の形態について図面を参照しながら詳述する。図１は本発明に係る生理用ナプキン１の一部破断展開図であり、図２は図１のII−II線矢視図である。
【００１９】
前記生理用ナプキン１は、ポリエチレンシート、ポリプロピレンシートなどからなる不透液性裏面シート２と、経血やおりものなどを速やかに透過させる透液性表面シート３と、これら両シート２，３間に介在された綿状パルプまたは合成パルプなどからなる吸収体４と、この吸収体４の形状保持および拡散性向上のために前記吸収体４を囲繞するクレープ紙５と、表面両側部にそれぞれ長手方向に沿って形成されたサイド不織布７，７とから構成されている。前記吸収体４の周囲において、その上下端縁部では、前記不透液性裏面シート２と透液性表面シート３との外縁部がホットメルトなどの接着剤やヒートシール等の接着手段によって接合され、またその両側縁部では吸収体４よりも側方に延出している前記不透液性裏面シート２と前記サイド不織布７とがホットメルトなどの接着剤やヒートシール等の接着手段によって接合され、吸収体４の外周にフラップ部Ｆを形成している。
【００２０】
以下、さらに前記生理用ナプキン１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００２１】
次いで、前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。
【００２２】
前記不透液性裏面シート２と透液性表面シート３との間に介在される吸収体４は、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。本例のように、吸収体４を囲繞するクレープ紙５を設ける場合には、結果的に透液性表面シート３と吸収体４との間にクレープ紙５が介在することになり、吸収性に優れる前記クレープ紙５によって体液を速やかに拡散させるとともに、これら経血等の逆戻りを防止するようになる。なお、生理用ナプキン１の使用面側には、適宜の形状でエンボス（図示せず）を施すことができる。
【００２３】
一方、本生理用ナプキン１の表面がわ両側部にはそれぞれ、長手方向に沿ってかつナプキン１のほぼ全長に亘ってサイド不織布７，７が設けられ、このサイド不織布７，７の一部が側方に延在されるとともに、同じく側方に延在された不透液性裏面シート２の一部とによりウイング状フラップＷ、Ｗが形成されている。
【００２４】
前記サイド不織布７としては、重要視する機能の点から撥水処理不織布または親水処理不織布を使用することができる。たとえば、経血やおりもの等が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、前記ウイング状フラップＷ、Ｗにおける経血等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにする。
【００２５】
かかるサイド不織布７としては、エアスルー不織布などの嵩高の不織布を用いることが好ましい。サイド不織布７を嵩高の不織布とすることにより、該サイド不織布７にエンボスを付加した場合、溝の深さを深く形成できるため、(1)経血等を滞留させる効果が発揮させやすい、(2)肌への接触面積が低減できる、(3)エンボスが視認し易くなる、などの効果が得られるようになる。また、前記サイド不織布７は、側端部で下面側に折り返した二重シート部分を有するようにすることで、さらに上記効果を顕著に奏することが可能となる。
【００２６】
本発明に係る生理用ナプキン１は、前記サイド不織布７、７の少なくとも排血口部Ｈに対応する側部領域のそれぞれに、実質的に、長周期の略単振動波形（以下「長周期波形」という。）に短周期の略単振動波形（以下「短周期波形」という。）を重ね合わせた複合波状線のエンボス２０が、生理用ナプキン１の長手方向に沿って付与されるとともに、前記長周期波形成分が内側に凸となるように配置され、かつ長周期波形の内側に凸の頂部において前記短周期波形成分が外側に凸となるように配置されている。図１に示される例では、前記エンボス２０は、排血口部Ｈに対応する側部領域より前側及び後側にそれぞれ前記長周期波形及び短周期波形を延長し、生理用ナプキン１の長手方向のほぼ全長に亘って形成されている。
【００２７】
〔エンボスの第１形態例〕
前述のサイド不織布７に形成される第１形態例に係るエンボスは、図１に示されるように、サイド不織布７、７のそれぞれに、連続線によって、前述した長周期波形に短周期波形を重ね合わせた複合波状線のエンボス２０を形成したものである。
【００２８】
前記長周期波形は、１周期分の長手方向長さである波長が、ナプキン１の長手方向長さに対して１／２〜１／６、好ましくは１／３〜１／４とするのがよい。また、前記長周期波形の各極値において前記短周期波形の極値が重なるような初期位相とした上で、前記長周期波形の波長は、前記短周期波形の波長に対して整数倍の波長とすることが好ましい。これにより、長周期波形の極値に短周期波形の極値が常に一致するようになり、外観上の見栄えをよくすることができる。
【００２９】
また、本発明に係る生理用ナプキン１では、吸収体４の比較的内方側位置で経血等を滞留させ吸収体に吸収されるようにするため、少なくとも排血口部Ｈに対応する側部領域で前記エンボス２０の長周期波形成分が内側に凸となるように配置するが、短周期波形の位相は、図１に示されるように、前記エンボス２０の長周期波形成分が内側に凸となる極点部分で、外側に凸となっていることが望ましい。これにより、図３に示されるように、排血口部Ｈからエンボス２０まで表面を伝って流出した体液等を前後方向に拡散しづらくすることができる。さらに、前記エンボス２０は長周期波形に短周期波形を重ね合せた複合波形状となっているため、エンボス２０、２０間が幅狭に形成された部分からエンボス２０に沿った前後方向の流れを生じ難くして、吸収体４への吸収が促進されるようになる。
【００３０】
他方、前述の通り嵩高に形成されたサイド不織布７の表面側から施されたエンボス２０は、他の部分に比べて明るい色調となり、視覚的に明確に判別できるようになるため、横漏れ防止の効果が外観上明瞭に視認でき、着用者に横漏れ防止の安心感を与えることができるようになる。
【００３１】
一方、図４に示されるように、生理用ナプキン１を身体に沿って湾曲させたとき、前記サイド不織布７には、前記エンボス２０の短周期波形成分の内側に凸の部分で幅方向に屈曲線３０、３０…が形成され易くなる。これは、短周期波形の内側に凸のエンボス極点に曲げ応力が集中し、屈曲するためである。このようにして形成されたサイド不織布７の屈曲線３０、３０…は、吸収体４を角折れ点間距離が小さいほぼ円弧線に近い多角形状で屈曲させるようになるため、生理用ナプキン１が身体に滑らかにフィットしやすく、装着時の違和感が軽減できるようになる。
【００３２】
前記エンボス２０は、吸収体４の側方端縁を跨いで左右に行き来するように形成されている。これにより、前述の通り横漏れ防止が図られているのと同時に、エンボスを直線で付与したり、単純な波状曲線で付与する場合よりも、単位長当たりのサイド不織布７に形成されるエンボス２０の凹部面積が増えるため、肌との接触面積が減り、ムレやスレを低減できるようになる。また、エンボス２０が吸収体４の側方端縁を跨いで左右に行き来することにより、吸収体４の側方端縁部分から比較的剛性の高い裏面シート部分に亘る範囲に形成されていることになるため、サイド不織布７を介して身体に接触する部分のあたりをできる限り柔らかいものにすることができる。
【００３３】
ところで、図１に示されるように、エンボス２０の長周期波形成分によって外側に凸となるエンボス領域においては、その内側であって、該エンボスから離間した近接位置に、独立した点状エンボス２１又は象形エンボス２２を付与することが好ましい。
【００３４】
これにより、図３に示されるように、エンボス２０、２０間が幅狭に形成される部分からエンボス２０に沿って前後方向に拡散する体液等を点状エンボス２１又は象形エンボス２２で滞留させることができるようになり、吸収体への吸収が促進されるようになる。なお、エンボス２０が吸収体４の外側に凸となる領域では、吸収体４上に跨るような比較的大きな寸法の象形エンボス２２とすることが好ましい。
【００３５】
前記点状エンボス２１は、図５(A)に示されるように、円形又は楕円形等のような形状が好適とされ、肌との接触を考慮して角が形成されないものとすることが好ましい。また、前記象形エンボス２２としては、同図(B)の楕円が近接した花形、同図(C)の楕円が連結した花形、同図(D)のリボン形など各種の形状をかたどったエンボスとすることができる。前記点状エンボス２１及び象形エンボス２２は、閉曲線内が窪んだエンボスとすることが好ましいが、閉曲線が縁取り的に窪んだエンボスとしてもよい。
【００３６】
〔エンボスの第２形態例〕
図６及び図７に示される、第２形態例に係るエンボス２３は、サイド不織布７、７のそれぞれに、表面側から付与された点状エンボス２１及び／又は象形エンボス２２からなる離散エンボスを連ねることにより全体として擬似線状を成すようにしたものである。図示例では、離散エンボスの内側を繋いだ複合波状線２４が、ナプキン１の長手方向に沿うとともに、ナプキン１の側方端縁を跨いで行き来するように、かつ前記ナプキン１の長手方向中心線ＣＬに対して線対称となるように表面側から付与されており、少なくとも排血口部Ｈに対応する側部領域で前記エンボス２３の長周期波形成分が内側に凸となるように配置されている。このような離散エンボスを施した場合でも、それを連ねた複合波状線２４が前述の形状とされることにより、上記第１形態例と同様の効果が発揮される。
【００３７】
なお、図示例では、前記離散エンボスは、点状エンボス２１と象形エンボス２２との組み合わせによって構成したが、点状エンボス２１単独又は象形エンボス２２単独で構成してもよく、また短い直線「−」を連ねた点線状のエンボスとしてもよい。
【図面の簡単な説明】
【００３８】
【図１】本発明に係る生理用ナプキン１の一部破断展開図である。
【図２】図１のII−II線矢視図である。
【図３】体液等の流れを説明する図１の要部拡大図である。
【図４】生理用ナプキン１を湾曲させたときの屈曲線３０を示す生理用ナプキン１の展開図である。
【図５】(A)は点状エンボス２１、(B)〜(D)は象形エンボス２２を示す拡大図である。
【図６】離散エンボスの例（その１）を示す生理用ナプキン１の展開図である。
【図７】離散エンボスの例（その２）を示す生理用ナプキン１の展開図である。
【図８】従来の吸収性物品Ｎを示す一部破断展開図である。
【図９】吸収性物品Ｎの装着状態を示す斜視図である。
【符号の説明】
【００３９】
１…生理用ナプキン、２…不透液性裏面シート、３…透液性表面シート、４…吸収体、５…クレープ紙、７…サイド不織布、２０・２３…エンボス、２１…点状エンボス、２２…象形エンボス、２４…複合波状線、Ｗ…ウイング状フラップ
【図１】
0005303051.tif 000002
【図２】
0005303051.tif 000003
【図３】
0005303051.tif 000004
【図４】
0005303051.tif 000005
【図５】
0005303051.tif 000006
【図６】
0005303051.tif 000007
【図７】
0005303051.tif 000008
【図８】
0005303051.tif 000009
【図９】
0005303051.tif 000010